(57)【要約】【課題】導入コストの低減を図りつつ、表示が妨げられた画像を容易に再生し得る表示制御装置を提供する。【解決手段】表示部に画像を表示させる制御部を備え、制御部は、表示部に第１の画像（番組の画像）を表示させている状態において、第１の画像とは種類が相違する第２の画像（外部コンテンツ）を表示部に表示させる画像表示条件が満たされたときに（ステップ３１）、第２の画像を表示部に表示させると共に（ステップ３２）第１の画像を録画装置に録画させる（ステップ３３）。【選択図】図３
2008079215.tif 000002
【特許請求の範囲】
【請求項１】
表示部に画像を表示させる制御部を備え、
前記制御部は、前記表示部に第１の画像を表示させている状態において、当該第１の画像とは種類が相違する第２の画像を当該表示部に表示させる画像表示条件が満たされたときに、当該第２の画像を当該表示部に表示させると共に当該第１の画像を録画装置に録画させる表示制御装置。
【請求項２】
前記制御部は、テレビ電話から出力された画像、インタホンから出力された画像、電子メール受信装置から出力された受信メール表示用の画像、および外部装置から出力されたメッセージ表示用の画像のうちの少なくとも１つの画像を前記第２の画像として前記画像表示条件が満たされたときに前記表示部に表示させる請求項１記載の表示制御装置。
【請求項３】
前記制御部は、前記第１の画像としての番組放送の画像を前記表示部に表示させている状態において前記画像表示条件が満たされたときに、当該番組放送の画像を前記録画装置に録画させる請求項１または２記載の表示制御装置。
【請求項４】
前記制御部は、前記録画装置に録画させている前記第１の画像の前記番組放送の放送終了時刻を電子番組情報から取得すると共に、当該取得した放送終了時刻が到来したときに、前記録画装置による前記第１の画像の録画を終了させる請求項３記載の表示制御装置。
【請求項５】
前記制御部は、前記録画装置に前記第１の画像を録画させている状態において当該第１の画像の表示を再開する表示再開条件が満たされたときに、当該録画装置による当該第１の画像の録画を終了させる請求項１から４のいずれかに記載の表示制御装置。
【請求項６】
請求項１から５のいずれかに記載の表示制御装置と、前記表示部とを備えて構成されているテレビ。
【請求項７】
表示部に第１の画像を表示させている状態において、当該第１の画像とは種類が相違する第２の画像を当該表示部に表示させる画像表示条件が満たされたときに、当該第２の画像を当該表示部に表示させると共に当該第１の画像を録画装置に録画させる表示制御方法。
【発明の詳細な説明】
【技術分野】
【０００１】
本発明は、表示部に画像を表示させる表示制御装置、テレビおよび表示制御方法に関するものである。
【背景技術】
【０００２】
この種の表示制御装置として、テレビ番組等の表示が可能に構成された携帯電話機およびパーソナルコンピュータ（以下、「パソコン」ともいう」）を備えた番組視聴システムが特開２００５−２８６７６１号公報に開示されている。この番組視聴システムでは、携帯電話機においてテレビ番組（以下、「番組」ともいう）の表示を開始する操作が行われたときに、携帯電話機の表示部に所定の番組が表示されると共に、表示が開始された番組の放送局等を特定可能な情報（放送局特定情報）が携帯電話機から自宅に設置されたパソコンに向けて通信ネットワークを介して出力される。これに応じて、パソコンが携帯電話機において表示されている番組と同一の番組の録画を開始すると共に、利用者によって録画停止操作が行われたときに番組の録画を終了する。
【０００３】
一方、携帯電話機において番組の表示を停止する操作が行われたときには、停止操作が行われた時刻を特定可能な時刻情報が携帯電話機の外部記憶媒体（携帯電話機に接続されている記憶媒体）に記憶される。また、この番組視聴システムでは、上記の外部記憶媒体を携帯電話機から取り外してパソコンに装着することにより、パソコンによって録画された番組の画像に基づき、携帯電話機において表示を停止した部位から番組を再生することが可能となっている。具体的には、上記の外部記憶媒体を装着した際に、パソコンが、外部記憶媒体に記憶されている時刻情報に基づいて番組の表示が停止された時刻を特定する。次いで、パソコンは、録画した番組を特定した時刻の部位から再生（表示）する。これにより、携帯電話機において視聴を中断した番組の続きをパソコンにおいて視聴することができる。
【特許文献１】特開２００５−２８６７６１号公報（第２５−２７頁、第１−３図）
【発明の開示】
【発明が解決しようとする課題】
【０００４】
ところが、従来の番組視聴システムには、以下の問題点がある。すなわち、この番組視聴システムでは、携帯電話機において番組の表示を開始した時点（放送局特定情報が携帯電話機から出力された時点）から録画停止操作が行われるまでパソコンによって番組の画像が継続して録画される構成が採用されると共に、表示が中断されたか否かを問わず、携帯電話機において表示された番組（画像）のすべてがパソコンによって録画される構成が採用されている。このため、長時間分の大量の画像を保存し得る大容量の記憶装置をパソコンに接続しておく必要がある結果、従来の番組視聴システムには、その導入コストを低減するのが困難であるという問題点が存在する。
【０００５】
また、従来の番組視聴システムでは、携帯電話機において番組の表示を停止させる操作が行われたときに、その時刻を特定可能な情報が外部記憶媒体に記録される構成が採用されている。したがって、従来の番組視聴システムでは、携帯電話機において番組を視聴しているときに電話が着信して着信画面が表示部に表示された際に、番組の表示を停止する上記の操作が行われるまで、外部記憶媒体に時刻情報が記憶されることなく、着信画面によって番組の視聴が妨げられた状態が維持される。このため、従来の番組視聴システムには、パソコンによって録画されている大量の画像のなかから着信によって視聴が妨げられた瞬間の画像を見付けるのが困難となっているという問題点が存在する。
【０００６】
本発明は、かかる改善すべき問題点に鑑みてなされたものであり、導入コストの低減を図りつつ、表示が妨げられた画像を容易に再生し得る表示制御装置、テレビおよび情報提供方法を提供することを主目的とする。
【課題を解決するための手段】
【０００７】
上記目的を達成すべく本発明に係る表示制御装置は、表示部に画像を表示させる制御部を備え、前記表示部に第１の画像を表示させている状態において、当該第１の画像とは種類が相違する第２の画像を当該表示部に表示させる画像表示条件が満たされたときに、前記制御部が当該第２の画像を当該表示部に表示させると共に当該第１の画像を録画装置に録画させる。
【０００８】
なお、本発明における「種類が相違する画像」とは、入力ソースが互いに異なる画像信号の画像、および互いに異なる画像信号出力装置から出力された画像信号の画像を意味する。また、本発明における「画像表示条件が満たされたとき」とは、外部装置からの制御信号に従って表示部に画像を表示させる構成の表示制御装置においては、第２の画像を表示させる旨を指示する制御信号が出力されたときを意味するものであり、外部装置から画像信号が出力されたときにその画像信号に基づく画像を表示部に表示させる構成の表示制御装置においては、第２の画像の画像信号が外部装置から出力されたときを意味する。さらに、本発明における「第２の画像を表示させる」との状態には、第１の画像に代えて第２の画像を表示部の全域に表示させる状態、および第１の画像に重ねて第２の画像を表示部の一部分に表示させる状態の双方が含まれる。
【０００９】
また、本発明に係るテレビは、上記の表示制御装置と、前記表示部とを備えて構成されている。
【００１０】
また、本発明に係る表示制御方法は、表示部に第１の画像を表示させている状態において、当該第１の画像とは種類が相違する第２の画像を当該表示部に表示させる画像表示条件が満たされたときに、当該第２の画像を当該表示部に表示させると共に当該第１の画像を録画装置に録画させる。
【００１１】
この表示制御装置、テレビおよび表示制御方法によれば、表示部に第１の画像を表示させている状態において画像表示条件が満たされたときに、第２の画像を表示部に表示させると共に第１の画像を録画装置に録画させることにより、電話の着信等に起因して視聴が妨げられたか否かを問わず、携帯電話機によってテレビ番組の表示が開始されてから利用者によって録画を停止する操作が行われるまでの長時間に亘ってそのテレビ番組の画像がパソコンによって録画される構成の従来の番組視聴システムとは異なり、第２の画像の表示（例えば、テレビ電話画面の表示）等に起因して第１の画像（例えば、テレビ番組の画像）の表示が妨げられたときにのみ、表示が妨げられた部位から第１の画像の録画を開始できるため、録画装置に必要とされる記憶部（ハードディスクドライブ等）の記憶容量を十分に小さくすることができる。したがって、大容量の記憶部を搭載することなく録画装置を構成することができるため、その導入コストを十分に低減することができる。また、表示が妨げられたときから第１の画像の録画が開始されるため、録画されている第１の画像を最初から再生するだけで、煩雑な操作を行うことなく、表示を妨げられた部位から第１の画像を直ちに表示させることができる。
【００１２】
さらに、本発明に係る表示制御装置は、前記制御部が、テレビ電話から出力された画像、インタホンから出力された画像、電子メール受信装置から出力された受信メール表示用の画像、および外部装置から出力されたメッセージ表示用の画像のうちの少なくとも１つの画像を前記第２の画像として前記画像表示条件が満たされたときに前記表示部に表示させる。
【００１３】
この表示制御装置によれば、テレビ電話から出力された画像、インタホンから出力された画像、電子メール受信装置から出力された受信メール表示用の画像、および外部装置から出力されたメッセージ表示用の画像のうちの少なくとも１つの画像を第２の画像として画像表示条件が満たされたときに表示部に表示させることにより、これらの画像を表示部に表示させたときに第１の画像の表示が妨げられたとしても、後に録画装置に記録されている第１の画像を再生して見直すことができるため、上記の各画面の表示に起因して第１の画像の表示が妨げられないように小さく表示するといった構成を採用することなく、第１の画像を表示部に対して十分に大きく表示させることができる。
【００１４】
また、本発明に係る表示制御装置は、前記第１の画像としての番組放送の画像を前記表示部に表示させている状態において前記画像表示条件が満たされたときに、前記制御部が、当該番組放送の画像を前記録画装置に録画させる。
【００１５】
この表示制御装置によれば、第１の画像としての番組放送の画像を表示部に表示させている状態において画像表示条件が満たされたときに、番組放送の画像を録画装置に録画させることにより、光記録媒体等に記録されている映像コンテンツの再生とは異なり、同一の場面を遡って視聴することが困難な番組放送の視聴中に第２の画像（例えば、テレビ電話画像等）が表示部に表示されたとしても、録画装置によって録画された第１の画像を再生することで、第２の画像の表示に起因して視聴が妨げられた場面を確実に視聴することができる。
【００１６】
さらに、本発明に係る表示制御装置は、前記制御部が、前記録画装置に録画させている前記第１の画像の前記番組放送の放送終了時刻を電子番組情報から取得すると共に、当該取得した放送終了時刻が到来したときに、前記録画装置による前記第１の画像の録画を終了させる。
【００１７】
この表示制御装置によれば、録画装置に録画させている第１の画像の番組放送の放送終了時刻を電子番組情報から取得すると共に、取得した放送終了時刻が到来したときに、録画装置による第１の画像の録画を終了させることにより、例えば録画装置の操作部を操作して第１の画像の録画を停止させる構成とは異なり、停止操作を忘れて不要な第１の画像の録画が継続して実行されるといった事態を回避することができる。したがって、この表示制御装置によれば、録画装置に必要とされる記憶部の記憶容量を一層小さくすることができるため、その導入コストを一層低減することができる。また、録画を必要としない第１の画像が録画されることで録画装置における記憶部の記録領域が不要に消費される事態を回避することができる。
【００１８】
また、本発明に係る表示制御装置は、前記録画装置に前記第１の画像を録画させている状態において当該第１の画像の表示を再開する表示再開条件が満たされたときに、前記制御部が、当該録画装置による当該第１の画像の録画を終了させる。
【００１９】
この表示制御装置によれば、録画装置に第１の画像を録画させている状態において表示再開条件が満たされたときに、録画装置による第１の画像の録画を終了させることにより、例えば録画装置の操作部を操作して録画を停止させる構成とは異なり、停止操作を忘れて不要な第１の画像の録画が継続して実行されるといった事態を回避することができる。したがって、この表示制御装置によれば、録画装置に必要とされる記憶部の記憶容量を一層小さくすることができるため、その導入コストを一層低減することができる。また、表示の再開に伴って録画が不要となった第１の画像が録画されることで録画装置における記憶部の記録領域が不要に消費される事態を回避することができる。
【発明を実施するための最良の形態】
【００２０】
以下、本発明に係る表示制御装置、テレビおよび表示制御方法の最良の形態について、添付図面を参照して説明する。図１に示すテレビ１は、本発明に係る表示制御装置と、本発明における表示部とを一体的に構成したリアプロジェクション型のテレビ（表示装置）のであって、録画再生装置２、パーソナルコンピュータ３（以下、「パソコン３」ともいう）、インタホン４および家電製品５を接続可能に構成されている。この場合、録画再生装置２は、本発明における録画装置に相当し、ハードディスクドライブ等の大容量記憶装置で構成された記憶部２ａを備えて各種の画像信号の記録（画像の録画）および再生が可能に構成されている。
【００２１】
パソコン３は、本発明におけるテレビ電話および電子メール受信装置を構成し、インターネット３ａに接続されると共に、テレビ電話ソフト（双方向動画再生機能を有するＩＰ電話ソフト）や、電子メールソフトなどがインストールされている。また、パソコン３は、後述するように、インターネット３ａを介しての電話の着信があったとき（インターネット３ａを介して通話信号Ｓ５を受信したとき）に、制御信号Ｓ６ａおよび画像信号Ｓ６をテレビ１に向けて出力することによって通話用のテレビ電話画面２２（図４参照）を表示させる。また、パソコン３は、予め設定された電子メールサーバを監視して電子メールが着信したときに、その旨を報知するメッセージ画面や受信メールを表示するメール表示画面（本発明における「受信メール表示用の画面」：図示せず）をテレビ１に表示させる。
【００２２】
インタホン４は、呼び出しスイッチ、カメラおよびマイクロフォンを備え、一例として、テレビ１が設置されている住宅の玄関に配設されている。このインタホン４は、呼び出しスイッチが操作されたときに、制御信号Ｓ７ａおよび画像信号Ｓ７をテレビ１に向けて出力することにより、カメラで撮像した画像（図示せず）をテレビ１に表示させる。家電製品５は、一例として洗濯機であって、洗濯が終了したときに、制御信号Ｓ８ａおよび画像信号Ｓ８をテレビ１に向けて出力することによって、洗濯が終了した旨を示すメッセージ表示画面２３（図５参照）を表示させる。
【００２３】
一方、テレビ１は、チューナ１１、電子番組情報取得部１２、画像処理部１３、表示部１４および制御部１５を備えている。チューナ１１は、一例として、地上アナログ放送、地上デジタル放送、ＣＳ放送およびＢＳ放送などの各種放送波Ｓ１を受信して放送信号Ｓ２を生成し、生成した放送信号Ｓ２を制御部１５や録画再生装置２に向けて出力する。なお、チューナ１１をテレビ１の本体部に内蔵することなく、本体部とは別体に構成したチューナ１１を本体部に接続する構成を採用することもできる。電子番組情報取得部１２は、一例として、チューナ１１によって受信された放送波Ｓ１から電子番組情報（ＥＰＧ（Electric Program Guide）情報）Ｄｐを取得する。画像処理部１３は、チューナ１１から出力された放送信号Ｓ２や、パソコン３、インタホン４および家電製品５から出力された画像信号Ｓ６〜Ｓ８を信号処理することにより、各種の表示画面を表示部１４に表示させるための画像信号Ｓ３を生成して出力する。
【００２４】
表示部１４は、光学エンジンおよびスクリーンパネル等（図示せず）を備え、画像処理部１３から出力された画像信号Ｓ３に基づく各種画像の表示画面（図２に示す番組視聴画面２１、図４に示すテレビ電話画面２２、および図５に示すメッセージ表示画面２３など）を表示する。具体的には、表示部１４は、画像信号Ｓ３に基づいて光変調した投写光をスクリーンパネルに背面側から投写することで各種画像をスクリーンパネルに表示する。この場合、上記の光学エンジンは、例えば、光源と、光変調素子（一例として、デジタルマイクロミラーデバイスや液晶ライトバルブ）と、投写レンズ（いずれも図示せず）とを備えて構成されている。
【００２５】
制御部１５は、テレビ１を総括的に制御する。具体的には、制御部１５は、チューナ１１を制御して所定のチャンネルの放送波Ｓ１を受信させる。また、制御部１５は、チューナ１１から出力された放送信号Ｓ２を画像処理部１３に出力して番組視聴画面２１を表示部１４に表示させる。さらに、制御部１５は、パソコン３から出力された制御信号Ｓ６ａに従って画像信号Ｓ６を画像処理部１３に出力することにより、番組視聴画面２１等に代えてテレビ電話画面２２を表示部１４に表示させると共に、チューナ１１を制御して放送信号Ｓ２を録画再生装置２に向けて出力させる。また、制御部１５は、インタホン４から出力された制御信号Ｓ７ａに従って画像信号Ｓ７を画像処理部１３に出力することにより、番組視聴画面２１等に代えて画像信号Ｓ７に基づく画像（図示せず）を表示部１４に表示させると共に、チューナ１１を制御して放送信号Ｓ２を録画再生装置２に向けて出力させる。
【００２６】
さらに、制御部１５は、家電製品５から出力された制御信号Ｓ８ａに従って画像信号Ｓ８を画像処理部１３に出力することにより、番組視聴画面２１等に重ねて画像信号Ｓ８に基づくメッセージ表示画面２３を表示部１４に表示させると共に、チューナ１１を制御して放送信号Ｓ２を録画再生装置２に向けて出力させる。また、制御部１５は、電子番組情報取得部１２によって取得された電子番組情報Ｄｐに基づき、録画再生装置２によって放送信号Ｓ２を録画している番組放送の放送終了時刻を特定し、特定した時刻が到来したときに録画再生装置２を制御して録画を停止させる。さらに、制御部１５は、例えばパソコン３を介しての通話が完了した際に、テレビ電話画面２２に代えて番組視聴画面２１を表示部１４に表示させると共に、録画再生装置２を制御して放送信号Ｓ２の録画を停止させる。
【００２７】
次に、テレビ１の全体的な動作について、図面を参照して説明する。このテレビ１によってテレビ番組を視聴する際には、リモコン（図示せず）の電源スイッチを操作してテレビ１に電源を投入する。この際には、チューナ１１が制御部１５の制御に従い、直前の電源遮断時に選局されていたチャンネルの放送波Ｓ１を受信して放送信号Ｓ２を出力する。これに応じて、制御部１５が放送信号Ｓ２を画像処理部１３に出力し、画像処理部１３が放送信号Ｓ２に基づいて画像信号Ｓ３を生成して表示部１４に出力する。これにより、図２に示すように、番組視聴画面２１が表示部１４のスクリーンパネルに表示される。また、電子番組情報取得部１２は、制御部１５の制御に従い、チューナ１１によって受信されている放送波Ｓ１から電子番組情報Ｄｐを取得する。
【００２８】
また、制御部１５は、画像処理部１３に対する放送信号Ｓ２の出力（番組視聴画面２１の表示開始）と共に、図３に示す表示制御処理３０を開始する。この表示制御処理３０では、制御部１５は、外部コンテンツの表示を指示する制御信号が出力されたか否かを監視する（ステップ３１）。この場合、このテレビ１では、チューナ１１から出力された放送信号Ｓ２に基づくテレビ画像を内部コンテンツ（本発明における第１の画像）として表示部１４に表示させると共に、パソコン３から出力されたテレビ電話用の画像や受信メール表示用の画像（画像信号Ｓ６に基づく画像）、インタホン４から出力された画像（画像信号Ｓ７に基づく画像）、および家電製品５から出力されたメッセージ表示用の画像（画像信号Ｓ８に基づく画像）を外部コンテンツ（本発明における第２の画像）として表示部１４に表示させる構成が採用されている。この際に、インターネット３ａを介してパソコン３にテレビ電話が着信したとき（テレビ電話の基地局から通話信号Ｓ５が出力されたとき）には、通話用の画面を表示させるための画像信号Ｓ６と、画像信号Ｓ６に基づく画像の表示を指示する制御信号Ｓ６ａとがパソコン３から出力される。
【００２９】
この際に、テレビ１の制御部１５は、本発明における画像表示条件が満たされたと判別して、パソコン３から出力された画像信号Ｓ６を画像処理部１３に出力する。これに応じて、画像処理部１３は、画像信号Ｓ６に基づいて画像信号Ｓ３を生成して表示部１４に出力する。これにより、図４に示すように、番組視聴画面２１に代えてテレビ電話画面２２が表示部１４のスクリーンパネルに切り替え表示される（ステップ３２）。次いで、制御部１５は、チューナ１１を制御することにより、テレビ電話画面２２を切り替え表示させる以前に表示部１４に表示させていた番組視聴画面２１の放送信号Ｓ２を録画再生装置２に向けて出力させると共に、録画再生装置２に制御信号Ｓ４を出力することにより、チューナ１１から出力させた放送信号Ｓ２の録画を開始させる（ステップ３３）。これにより、テレビ電話画面２２の表示によって視聴が妨げられた番組放送の画像（放送信号Ｓ２）が録画再生装置２によって録画される。
【００３０】
続いて、制御部１５は、電子番組情報取得部１２によって取得された電子番組情報Ｄｐに基づき、録画再生装置２によって放送信号Ｓ２を録画させている番組放送の放送終了時刻を特定する（ステップ３４）。次いで、制御部１５は、特定した放送終了時刻が到来したか否かを判別する（ステップ３５）。この際に、放送終了時刻が到来したと判別したときには、制御部１５は、チューナ１１を制御することによって放送信号Ｓ２の録画再生装置２に対する出力を停止させると共に、録画再生装置２に制御信号Ｓ４を出力することによって放送信号Ｓ２の録画を停止させ（ステップ３６）、この表示制御処理３０を終了する。これにより、電話の着信時点から番組放送の放送終了時点までの放送信号Ｓ２の記録（テレビ画像の録画）が完了する。
【００３１】
一方、放送終了時刻が到来していないと判別したときには（ステップ３５）、制御部１５は、外部コンテンツ（この例では、パソコン３から出力されたテレビ電話用の画像：テレビ電話画面２２）の表示を終了する指示があるか否かを監視する（ステップ３７）。この際に、パソコン３は、テレビ電話の通話が終了したときに、テレビ１に対する画像信号Ｓ６の出力を停止すると共に、通話が終了した旨を示す制御信号Ｓ６ａをテレビ１に出力する。これに応じて、制御部１５は、外部コンテンツの表示を終了する指示（外部コンテンツを表示させる以前に表示部１４に表示させていた内部コンテンツを再表示する指示）があったと判別して、画像処理部１３を制御してテレビ電話画面２２の表示を終了させ、番組視聴画面２１を表示部１４に表示させる（ステップ３８）。
【００３２】
次いで、制御部１５は、チューナ１１を制御することによって放送信号Ｓ２の録画再生装置２に対する出力を停止させると共に、録画再生装置２に制御信号Ｓ４を出力することによって放送信号Ｓ２の録画を停止させて（ステップ３６）、この表示制御処理３０を終了する。これにより、電話の着信時点から通話の終了時点までの放送信号Ｓ２の記録（テレビ画像の録画）が完了する。なお、通話の完了時において、録画再生装置２による放送信号Ｓ２の録画を直ちに終了させることなく、放送終了時刻が到来するまで録画を継続させる構成を採用することもできる。
【００３３】
また、このテレビ１では、表示部１４に番組視聴画面２１を表示させている状態において、来訪者によってインタホン４の呼び出しスイッチが操作されたときに、インタホン４からテレビ１に画像信号Ｓ７および制御信号Ｓ７ａが出力される。この際に、制御部１５は、前述したパソコン３からの画像信号Ｓ６および制御信号Ｓ６ａの出力時と同様にして、本発明における画像表示条件が満たされたと判別して（外部コンテンツの表示を指示する制御信号Ｓ７ａが出力されたと判別して：ステップ３１）、インタホン４から出力された画像信号Ｓ７を画像処理部１３に出力して画像信号Ｓ３を生成させ、画像信号Ｓ３に基づく画像（インタホン４のカメラによって撮像された画像：図示せず）を表示部１４に表示させる（ステップ３２）。次いで、制御部１５は、チューナ１１を制御することにより、放送信号Ｓ２を録画再生装置２に向けて出力させると共に、録画再生装置２に制御信号Ｓ４を出力することによって放送信号Ｓ２の録画を開始させる（ステップ３３）。これにより、インタホン４のカメラによって撮像された画像の表示によって視聴が妨げられた番組放送の画像が録画再生装置２によって録画される。
【００３４】
続いて、制御部１５は、電子番組情報Ｄｐに基づいて録画している番組放送の放送終了時刻を特定し（ステップ３４）、放送終了時刻が到来したときに（ステップ３５）、チューナ１１を制御して放送信号Ｓ２の出力を停止させると共に、録画再生装置２に制御信号Ｓ４を出力して放送信号Ｓ２の録画を停止させる（ステップ３６）。これにより、呼び出しスイッチの操作時点から番組放送の放送終了までの間の放送信号Ｓ２の録画が完了する。また、放送終了時刻が到来する以前に来訪者が去った（インタホン４のカメラによる撮像が終了した）際には、インタホン４がテレビ１に対する画像信号Ｓ７の出力を停止すると共に、カメラによる撮像が終了した旨を示す制御信号Ｓ７ａをテレビ１に出力する。
【００３５】
これに応じて、制御部１５は、外部コンテンツの表示を終了する指示（外部コンテンツを表示させる以前に表示部１４に表示させていた内部コンテンツを再表示する指示）があったと判別して（ステップ３７）、画像処理部１３を制御して、画像信号Ｓ７に基づく画像の表示を終了させて、番組視聴画面２１を表示部１４に表示させる（ステップ３８）。次いで、制御部１５は、チューナ１１を制御することによって放送信号Ｓ２の録画再生装置２に対する出力を停止させると共に、録画再生装置２に制御信号Ｓ４を出力することによって放送信号Ｓ２の録画を停止させる（ステップ３６）。これにより、来訪者が呼び出しスイッチを操作した時点からインタホン４のカメラによって撮像された画像の表示が終了した時点までの放送信号Ｓ２の記録（テレビ画像の録画）が完了する。
【００３６】
さらに、このテレビ１では、表示部１４に番組視聴画面２１を表示させている状態において、家電製品５（この例では、洗濯機）による洗濯が完了したときに、家電製品５からテレビ１に画像信号Ｓ６および制御信号Ｓ８ａが出力される。この際に、制御部１５は、前述したパソコン３やインタホン４からの画像信号Ｓ６，Ｓ７および制御信号Ｓ６ａ，Ｓ７ａの出力時と同様にして、本発明における画像表示条件が満たされたと判別して（外部コンテンツの表示を指示する制御信号Ｓ７ａが出力されたと判別して：ステップ３１）、家電製品５から出力された画像信号Ｓ８を画像処理部１３に出力して画像信号Ｓ３を生成させる。この際に、画像処理部１３は、チューナ１１から出力されている放送信号Ｓ２と家電製品５から出力された画像信号Ｓ８とに基づいて画像信号Ｓ３を生成することにより、図５に示すように、一例として「洗濯が完了しました。」とのメッセージを示すメッセージ表示画面２３を番組視聴画面２１に重ねて表示部１４にポップアップ表示させる（ステップ３２）。
【００３７】
次いで、制御部１５は、チューナ１１を制御することにより、放送信号Ｓ２を録画再生装置２に向けて出力させると共に、録画再生装置２に制御信号Ｓ４を出力することによって放送信号Ｓ２の録画を開始させる（ステップ３３）。これにより、家電製品５から出力された画像信号Ｓ８に基づく画像（メッセージ表示画面２３）の表示によって番組視聴画面２１の一部が遮られて、その視聴が妨げられた番組放送の画像が録画再生装置２によって録画される。続いて、制御部１５は、録画させている番組放送の放送終了時刻を電子番組情報Ｄｐに基づいて特定し（ステップ３４）、放送終了時刻が到来したときに（ステップ３５）、チューナ１１を制御して放送信号Ｓ２の出力を停止させると共に、録画再生装置２に制御信号Ｓ４を出力して放送信号Ｓ２の録画を停止させる（ステップ３６）。これにより、洗濯が完了した時点（メッセージ表示画面２３がポップアップ表示された時点）から番組放送の放送終了時点までの放送信号Ｓ２の記録（テレビ画像の録画）が完了する。
【００３８】
また、メッセージ表示画面２３を見た利用者がリモコンを操作してメッセージ表示画面２３を閉じる操作を行ったときには、制御部１５は、外部コンテンツの表示を終了する指示（外部コンテンツを表示させる以前に表示部１４に表示させていた内部コンテンツを再表示する指示）があったと判別して（ステップ３７）、画像処理部１３を制御して、画像信号Ｓ８に基づくメッセージ表示画面２３の表示を終了させて、番組視聴画面２１を表示部１４の全域に表示させる（ステップ３８）。次いで、制御部１５は、チューナ１１を制御することによって放送信号Ｓ２の録画再生装置２に対する出力を停止させると共に、録画再生装置２に制御信号Ｓ４を出力することによって放送信号Ｓ２の録画を停止させる（ステップ３６）。これにより、洗濯が完了した時点（洗濯が完了した旨を報知するメッセージ表示画面２３が表示された時点）からメッセージ表示画面２３を閉じる操作が行われた時点までの放送信号Ｓ２の記録（テレビ画像の録画）が完了する。
【００３９】
一方、テレビ電話用のテレビ電話画面２２の表示、インタホン４のカメラによって撮像された画像の表示、および家電製品５から出力されたメッセージ表示用のメッセージ表示画面２３の表示によって視聴を妨げられた番組放送の画像を視聴する際には、例えば、録画再生装置２のリモコン（図示せず）を操作して記憶部２ａに記録されている（録画されている）放送信号Ｓ２を再生させる。この際に、録画再生装置２では、図示しない画像再生処理部が記憶部２ａから放送信号Ｓ２の記録データを読み出して画像信号Ｓ９を生成し、生成した画像信号Ｓ９をテレビ１に出力する。これに応じて、制御部１５は、録画再生装置２から出力された画像信号Ｓ９を画像処理部１３に出力する。また、画像処理部１３は、画像信号Ｓ９に基づいて画像信号Ｓ３を生成して表示部１４に出力する。これにより、上記の外部コンテンツの表示によって視聴が妨げられた番組放送の画像が表示部１４のスクリーンパネルに表示される。
【００４０】
このように、このテレビ１およびテレビ１による表示制御方法によれば、表示部１４に第１の画像（この例では、チューナ１１から出力された放送信号Ｓ２に基づく画像：番組視聴画面２１）を表示させている状態において本発明における画像表示条件が満たされたときに、第２の画像（一例として、パソコン３から出力された画像信号Ｓ３に基づく画像：テレビ電話画面２２）を表示部１４に表示させると共に第１の画像（放送信号Ｓ２）を録画再生装置２に録画させることにより、電話の着信等に起因して視聴が妨げられたか否かを問わず、携帯電話機によってテレビ番組の表示が開始されてから利用者によって録画を停止する操作が行われるまでの長時間に亘ってそのテレビ番組の画像がパソコンによって録画される構成の従来の番組視聴システムとは異なり、テレビ電話の着信等に起因してテレビ番組の視聴（番組視聴画面２１の表示）が妨げられたときにのみ、視聴が妨げられた部位から放送信号Ｓ２の記録（テレビ画像の録画）を開始できるため、録画再生装置２に必要とされる記憶部２ａの記憶容量を十分に小さくすることができる。したがって、大容量の記憶部を搭載することなく録画再生装置２を構成することができるため、その導入コストを十分に低減することができる。また、テレビ番組の視聴（番組視聴画面２１の表示）が妨げられたときから放送信号Ｓ２の録画が開始されるため、録画されている放送信号Ｓ２を最初から再生するだけで、煩雑な操作を行うことなく、視聴を妨げられた部位からテレビ番組等を直ちに視聴することができる。
【００４１】
また、このテレビ１によれば、テレビ電話（この例では、パソコン３）から出力された画像（画像信号Ｓ６に基づく画像：テレビ電話画面２２）、インタホン４から出力された画像（画像信号Ｓ７に基づく画像）、電子メール受信装置（この例では、パソコン３）から出力された受信メール表示用の画像（画像信号Ｓ６に基づく画像）、および外部装置（この例では、家電製品５）から出力されたメッセージ表示用の画像（画像信号Ｓ８に基づく画像：メッセージ表示画面２３）のうちの少なくとも１つの画像を本発明における第２の画像として上記の画像表示条件が満たされたときに表示部１４に表示させることにより、これらの画像を表示部１４に表示させたときに番組視聴画面２１の表示（テレビ番組の視聴）が妨げられたとしても、後に録画再生装置２に記録されている放送信号Ｓ２を再生してその画像を見直すことができるため、上記の各画面の表示に起因して番組視聴画面２１の表示が妨げられないように小さく表示するといった構成を採用することなく、テレビ電話画面２２等を表示部１４に対して十分に大きく表示させることができる。
【００４２】
さらに、このテレビ１によれば、本発明における第１の画像としての番組放送の画像（この例では、チューナ１１から出力された放送信号Ｓ２に基づく画像：番組視聴画面２１）を表示部１４に表示させている状態において本発明における画像表示条件が満たされたときに、番組放送の画像（放送信号Ｓ２）を録画再生装置２に録画させることにより、光記録媒体等に記録されている映像コンテンツの再生とは異なり、同一の場面を遡って視聴することが困難なテレビ番組の視聴中にテレビ電話等の着信に起因してテレビ電話画面２２が表示部１４に表示されたとしても、録画再生装置２によって録画された放送信号Ｓ２を再生することで、テレビ電話画面２２の表示に起因して視聴が妨げられた場面を確実に視聴することができる。
【００４３】
また、このテレビ１によれば、録画再生装置２に録画させている第１の画像（放送信号Ｓ２に基づく画像：番組視聴画面２１）の番組放送の放送終了時刻を電子番組情報Ｄｐから取得すると共に、取得した放送終了時刻が到来したときに、録画再生装置２による第１の画像（放送信号Ｓ２）の録画を終了させることにより、例えば録画再生装置２の操作部を操作して録画を停止させる構成とは異なり、停止操作を忘れて不要な放送信号Ｓ２の録画が継続して実行されるといった事態を回避することができる。したがって、このテレビ１によれば、録画再生装置２に必要とされる記憶部２ａの記憶容量を一層小さくすることができるため、その導入コストを一層低減することができる。また、録画を必要としない放送信号Ｓ２が録画されることで録画再生装置２における記憶部２ａの記録領域が不要に消費される事態を回避することができる。
【００４４】
さらに、このテレビ１によれば、録画再生装置２に本発明における第１の画像を録画させている状態において本発明における表示再開条件が満たされたときに、録画再生装置２による第１の画像の録画を終了させることにより、例えば録画再生装置２の操作部を操作して録画を停止させる構成とは異なり、停止操作を忘れて不要な放送信号Ｓ２の録画が継続して実行されるといった事態を回避することができる。したがって、このテレビ１によれば、録画再生装置２に必要とされる記憶部２ａの記憶容量を一層小さくすることができるため、その導入コストを一層低減することができる。また、番組視聴画面２１等の表示の再開に伴って録画が不要となった画像（放送信号Ｓ２）が録画されることで録画再生装置２における記憶部２ａの記録領域が不要に消費される事態を回避することができる。
【００４５】
なお、本発明は、上記の構成に限定されない。例えば、リアプロジェクション型の表示部１４を備えたテレビ１について上記したが、本発明における表示部は、液晶表示器、プラズマ表示器および有機ＥＬ表示器等の各種表示器で構成することができる。また、本発明に係る表示制御装置と、本発明における表示部とを一体に構成した表示装置（テレビ１）について説明したが、本発明における表示部を本発明に係る表示制御装置とは別体に構成して外部装置としての表示部に、前述した番組視聴画面２１等を表示させる構成を採用することもできる。具体的には、表示部を備えていない各種の視聴覚機器（例えば、各種レコーダ、プレーヤ、デコーダおよびチューナ等）に本発明に係る表示制御装置を適用することができる。
【図面の簡単な説明】
【００４６】
【図１】テレビ１の構成を示すブロック図である。
【図２】番組視聴画面２１の表示画面図である。
【図３】表示制御処理３０のフローチャートである。
【図４】テレビ電話画面２２の表示画面図である。
【図５】番組視聴画面２１およびメッセージ表示画面２３の表示画面図である。
【符号の説明】
【００４７】
１  テレビ、２  録画再生装置、３  パーソナルコンピュータ、４  インタホン、５  家電製品、１１  チューナ、１２  電子番組情報取得部、１３  画像処理部、１４  表示部、１５  制御部、２１  番組視聴画面、２２  テレビ電話画面、２３  メッセージ表示画面、３０  表示制御処理、Ｄｐ  電子番組情報、Ｓ１  放送波、Ｓ２  放送信号、Ｓ３，Ｓ６〜Ｓ９  画像信号、Ｓ４，Ｓ６ａ〜Ｓ８ａ  制御信号
【図１】
2008079215.tif 000003
【図２】
2008079215.tif 000004
【図３】
2008079215.tif 000005
【図４】
2008079215.tif 000006
【図５】
2008079215.tif 000007